(57)【要約】【課題】カメラ付き携帯電話装置であって、監視専用のカメラシステムを導入することなく、必要に応じて簡単に監視対象の画像を撮影して取得する。【解決手段】通常時はシャッタカメラおよび携帯電話として機能し、監視カメラモードにおいて予め指定されたメールアドレスの外部端末からの電子メールの着信があると、撮像部による１ショットの撮影画像データが電子メールとして前記メール発信元である指定のメールアドレスを有する外部端末へ送信され、また予め指定された電話番号の外部端末からの電話の着信があると、撮像部によるリアルタイムの撮影動画像およびマイクから入力される音声データが前記電話発信元である指定の電話番号の外部端末へ転送されるので、監視カメラモードでは例えばユーザは外出先から本カメラ付き携帯電話装置へアクセスするだけで、監視対象の現在の状況を撮影した画像として取得して確認することができる。【選択図】      図５
2010011488.tif 000002
【特許請求の範囲】
【請求項１】
電話機能とカメラ撮影機能とを有するカメラ付き携帯電話装置であって、
撮像手段と、
監視モードを設定するモード設定手段と、
このモード設定手段により監視モードが設定されていない状態で、前記撮像手段によりシャッタボタンの操作に応じた撮影を行う通常撮影手段と、
前記モード設定手段により監視モードが設定されている状態で、前記撮像手段によりシャッタボタンの操作以外の条件に応じて撮影を行う監視撮影手段と、
この監視撮影手段により撮影された画像データを送信する監視画像送信手段と、
を備えたことを特徴とするカメラ付き携帯電話装置。
【請求項２】
前記モード設定手段により監視モードが設定されていない状態では、利用者が当該装置に備えられたマイク、スピーカ、操作ボタンを利用して前記電話機能、カメラ撮影機能を利用することを前提とした制御を行う通常制御手段と、
前記モード設定手段により監視モードが設定されている状態では、利用者が当該装置に備えられたマイク、スピーカ、操作ボタンを利用せずに前記電話機能、カメラ撮影機能を利用することを前提とした制御を行う監視制御手段と、
を備えたことを特徴とする請求項１に記載のカメラ付き携帯電話装置。
【請求項３】
前記モード設定手段により監視モードが設定されている状態では、他の通信端末からの着信があった場合でも、着信音を鳴らさないように制御することを特徴とする請求項２に記載のカメラ付き携帯電話装置。
【請求項４】
前記監視撮影手段は、前記モード設定手段により監視モードが設定されている状態で、予め指定された通信端末からの着信に応じて前記撮像手段により撮影を行い、
前記監視画像送信手段は、前記監視撮影手段により撮影された画像データを前記着信のあった通信端末へ送信する、
ことを特徴とする請求項１ないし請求項３の何れか１項に記載のカメラ付き携帯電話装置。
【請求項５】
前記予め指定された通信端末は、予め指定された電話番号の通信端末であることを特徴とする請求項４に記載のカメラ付き携帯電話装置。
【請求項６】
前記予め指定された通信端末は、予め指定されたメールアドレスの通信端末であることを特徴とする請求項４に記載のカメラ付き携帯電話装置。
【請求項７】
他の通信端末との電話接続中において、動画像と共に音声の送受信を行うテレビ電話機能を更に備え、
前記監視撮影手段は、前記撮像手段によりリアルタイムで動画の撮影を行い、
前記監視画像送信手段は、前記予め指定された電話番号の通信端末からの着信があった場合には、前記テレビ電話機能を利用して前記リアルタイムで撮影された動画像データを送信する、
ことを特徴とする請求項５に記載のカメラ付き携帯電話装置。
【請求項８】
さらに、
充電用スタンドとの接続機能を有し、
前記モード設定手段により監視モードが設定され且つ前記充電用スタンドと接続された状態で、周囲の環境状態を検出する状態検出手段と、
この状態検出手段により検出される周囲の環境状態が予め設定された通報条件になったか否か判断する条件判断手段と、
この条件判断手段により前記状態検出手段により検出される周囲の環境状態が予め設定された通報条件になったと判断された場合に予め指定された通信端末と接続する指定端末接続手段とを備え、
前記監視撮影手段は、前記モード設定手段により監視モードが設定され且つ前記充電用スタンドと接続された状態で、前記指定端末接続手段による予め指定された通信端末との接続に応じて前記撮像手段により撮影を行い、
前記監視画像送信手段は、前記監視撮影手段により撮影された画像データを前記指定端末接続手段により接続された通信端末へ送信する、
ことを特徴とする請求項１ないし請求項３の何れか１項に記載のカメラ付き携帯電話装置。
【請求項９】
前記状態検出手段は、前記モード設定手段により監視モードが設定され且つ前記充電用スタンドと接続された状態で、当該充電用スタンドに内蔵された各種センサからの検出データに基づき周囲の環境状態を検出することを特徴とする請求項８に記載のカメラ付き携帯電話装置。
【請求項１０】
前記状態検出手段は、前記モード設定手段により監視モードが設定され且つ前記充電用スタンドと接続された状態で、装置本体に内蔵された各種センサからの検出データに基づき周囲の環境状態を検出することを特徴とする請求項８に記載のカメラ付き携帯電話装置。
【請求項１１】
前記予め指定された通信端末は、予め指定された電話番号の通信端末であることを特徴とする請求項８ないし請求項１０の何れか１項に記載のカメラ付き携帯電話装置。
【請求項１２】
他の通信端末との電話接続中において、動画像と共に音声の送受信を行うテレビ電話機能を更に備え、
前記監視撮影手段は、前記撮像手段によりリアルタイムで動画の撮影を行い、
前記監視画像送信手段は、前記予め指定された電話番号の通信端末からの着信があった場合には、前記テレビ電話機能を利用して前記リアルタイムで撮影された動画像データを送信する、
ことを特徴とする請求項１１に記載のカメラ付き携帯電話装置。
【請求項１３】
さらに、
前記充電用スタンドは、接続されたカメラ付き携帯電話装置の回転機能を有し、
前記指定端末接続手段により接続された通信端末からの撮影方向回転指示の有無を判断する回転指示判断手段と、
この回転指示判断手段により撮影方向の回転指示が有ると判断された場合に、その回転制御信号を前記充電用スタンドへ出力する回転制御出力手段と、
を備えたことを特徴とする請求項１２に記載のカメラ付き携帯電話装置。
【請求項１４】
さらに、
前記指定端末接続手段により予め指定された電話番号の通信端末との接続ができなかった場合には、前記撮像手段により撮影した画像データを予め指定されたメールアドレスの通信端末へ送信する電話接続不能時の監視画像送信手段を備えたことを特徴とする請求項１２または請求項１３に記載のカメラ付き携帯電話装置。
【請求項１５】
カメラ付き携帯電話装置を装着して充電する機能を有するカメラ付き携帯電話装置のスタンドであって、
前記カメラ付き携帯電話装置との通信接続手段と、
前記カメラ付き携帯電話装置が装着されたスタンド部分を回転させる回転駆動手段と、
前記カメラ付き携帯電話装置から前記通信接続手段により受信された撮影方向の回転制御信号に応じて前記回転駆動手段によるスタンド部分の回転を制御する回転制御手段と、
を備えたことを特徴とするカメラ付き携帯電話装置のスタンド。
【請求項１６】
さらに、
周囲の環境状態を検出する複数種類のセンサと、
この複数種類のセンサにより検出されるデータを前記通信接続手段により前記カメラ付き携帯電話装置へ送信させるセンサデータ送信制御手段と、
を備えたことを特徴とする請求項１５に記載のカメラ付き携帯電話装置のスタンド。
【請求項１７】
電話機能とカメラ撮影機能とを有するカメラ付き携帯電話装置のコンピュータを制御するためのプログラムであって、
前記コンピュータを、
監視モードを設定するモード設定手段、
このモード設定手段により監視モードが設定されていない状態で、前記カメラ撮影機能によりシャッタボタンの操作に応じた撮影を行う通常撮影手段、
前記モード設定手段により監視モードが設定されている状態で、前記カメラ撮影機能によりシャッタボタンの操作以外の条件に応じて撮影を行う監視撮影手段、
この監視撮影手段により撮影された画像データを送信する監視画像送信手段、
として機能させるようにしたカメラ付き携帯電話装置の制御プログラム。
【発明の詳細な説明】
【技術分野】
【０００１】
本発明は、監視カメラとしても利用できるようにしたカメラ付き携帯電話装置、カメラ付き携帯電話装置のスタンド、およびカメラ付き携帯電話装置の制御プログラムに関する。
【背景技術】
【０００２】
従来の監視カメラシステムは、監視専用のカメラを監視対象の屋内外に固定的に設置し、この専用カメラにより撮影される動画像を有線あるいは無線により別の場所にある表示用モニタまで転送し、このモニタ画面にて監視画像が見られるようにしている。
【０００３】
最近では、世界各地に設置された監視カメラによる撮影画像をインターネット経由で各自のパーソナルコンピュータに取り込んで閲覧することができるようになっている。
【０００４】
そして、各地に設置された監視カメラには、各自のパーソナルコンピュータの操作に応じて送出される撮影方向の制御信号によって、その撮影角度を変更駆動する遠隔制御機能が備えられている。
【０００５】
また最近では、監視カメラにより撮影した映像を異常の検知に伴い電話機によって監視ユーザの携帯電話機や警察署または消防署などに通報，転送できるようにしたセキュリティ電話機なるものも考えられている（例えば、特許文献１参照。）。
【先行技術文献】
【特許文献】
【０００６】
【特許文献１】特開２００１−１６７３６５号公報
【発明の概要】
【発明が解決しようとする課題】
【０００７】
しかしながら、前記従来の監視カメラシステムでは、監視対象を撮影するカメラは監視専用のカメラであって屋内外に固定設置され、耐水性，耐熱性，耐震性など、様々な耐候性能が要求されるため、非常に高価であるばかりでなく、監視以外の用途に適さず、監視の必要がない時間帯や監視そのものが不要になった場合など、無駄が多い問題がある。
【０００８】
また、前記従来の監視カメラシステムは、耐候性を有し頑強に設置される反面、監視対象の位置や場所を変えたい場合など、その設置位置を移動するのには大変な手間と費用が掛かり、特に一般家庭において安価に且つ手間暇掛けずに簡単に導入することは困難であった。
【０００９】
本発明は、このような課題に鑑みてなされたもので、監視専用のカメラシステムを導入することなく、必要に応じて簡単に監視対象の画像を撮影して取得することが可能になるカメラ付き携帯電話装置、カメラ付き携帯電話装置のスタンド、およびカメラ付き携帯電話装置の制御プログラムを提供することを目的とする。
【課題を解決するための手段】
【００１０】
本発明の請求項１（請求項１７）に記載のカメラ付き携帯電話装置（制御プログラム）は、電話機能とカメラ撮影機能とを有し、モード設定手段により監視モードが設定されていない状態では、通常撮影手段によって撮像手段によりシャッタボタンの操作に応じた撮影を行い、前記モード設定手段により監視モードが設定されている状態では、監視撮影手段によって前記撮像手段によりシャッタボタンの操作以外の条件に応じて撮影を行い、この監視撮影手段により撮影された画像データを監視画像送信手段によって送信する。
【００１１】
これによれば、通常モードでシャッタボタンの操作に応じて撮影が行えるカメラ付き携帯電話と、監視モードでシャッタボタンの操作によらない例えば指定の電話からの着信動作に応じて監視撮影とその画像送信が行えるカメラ付き携帯電話とを簡単に切り換えて利用できることになる。
【００１２】
本発明の請求項２に記載のカメラ付き携帯電話装置は、前記請求項１に記載のカメラ付き携帯電話装置にあって、前記モード設定手段により監視モードが設定されていない状態では、通常制御手段によって利用者が当該装置に備えられたマイク、スピーカ、操作ボタンを利用して前記電話機能、カメラ撮影機能を利用することを前提とした制御を行い、前記モード設定手段により監視モードが設定されている状態では、監視制御手段によって利用者が当該装置に備えられたマイク、スピーカ、操作ボタンを利用せずに前記電話機能、カメラ撮影機能を利用することを前提とした制御を行う。
【００１３】
これによれば、監視モードを設定しない状態では、通常の電話による通話、カメラ撮影が行えるカメラ付き携帯電話として利用でき、監視モードを設定すれば、マイク、スピーカ、操作ボタンを必要とせずに電話機能、カメラ撮影機能を利用した監視撮影とその撮影画像の送信ができることになる。
【００１４】
本発明の請求項３に記載のカメラ付き携帯電話装置は、前記請求項２に記載のカメラ付き携帯電話装置にあって、前記モード設定手段により監視モードが設定されている状態では、他の通信端末からの着信があった場合でも、着信音を鳴らさないように制御する。
【００１５】
これによれば、監視モードでの着信時には着信音がならないように制御できることになる。
【００１６】
本発明の請求項４に記載のカメラ付き携帯電話装置は、前記請求項１ないし請求項３の何れか１項に記載のカメラ付き携帯電話装置にあって、前記監視撮影手段は、前記モード設定手段により監視モードが設定されている状態で、予め指定された通信端末からの着信に応じて前記撮像手段により撮影を行い、前記監視画像送信手段は、前記監視撮影手段により撮影された画像データを前記着信のあった通信端末へ送信する。
【００１７】
これによれば、例えば外出ユーザの携帯電話からの着信に応じて監視撮影した画像データを当該外出ユーザの携帯電話へ送信できることになる。
【００１８】
本発明の請求項５に記載のカメラ付き携帯電話装置は、前記請求項４に記載のカメラ付き携帯電話装置にあって、前記予め指定された通信端末は、予め指定された電話番号の通信端末である。
【００１９】
これによれば、例えば外出ユーザの携帯電話からの電話での着信に応じて監視撮影した画像データを当該着信接続された外出ユーザの携帯電話へ送信できることになる。
【００２０】
本発明の請求項６に記載のカメラ付き携帯電話装置は、前記請求項４に記載のカメラ付き携帯電話装置にあって、前記予め指定された通信端末は、予め指定されたメールアドレスの通信端末である。
【００２１】
これによれば、例えば外出ユーザの携帯電話からの電子メールでの着信に応じて監視撮影した画像データを当該外出ユーザの携帯電話へ電子メールで送信できることになる。
【００２２】
本発明の請求項７に記載のカメラ付き携帯電話装置は、前記請求項５に記載のカメラ付き携帯電話装置にあって、他の通信端末との電話接続中において、動画像と共に音声の送受信を行うテレビ電話機能を更に備え、前記監視撮影手段は、前記撮像手段によりリアルタイムで動画の撮影を行い、前記監視画像送信手段は、前記予め指定された電話番号の通信端末からの着信があった場合には、前記テレビ電話機能を利用して前記リアルタイムで撮影された動画像データを送信する。
【００２３】
これによれば、例えば外出ユーザの携帯電話からの電話での着信に応じてリアルタイムに監視撮影した動画像データをテレビ電話機能によって当該着信接続された外出ユーザの携帯電話へ送信できることになる。
【００２４】
本発明の請求項８に記載のカメラ付き携帯電話装置は、前記請求項１ないし請求項３の何れか１項に記載のカメラ付き携帯電話装置にあって、さらに、充電用スタンドとの接続機能を有し、前記モード設定手段により監視モードが設定され且つ前記充電用スタンドと接続された状態で、状態検出手段によって周囲の環境状態を検出し、この環境状態が予め設定された通報条件になったか否かを条件判断手段によって判断する。そして、周囲の環境状態が予め設定された通報条件になったと判断された場合には、指定端末接続手段によって予め指定された通信端末と接続する。すると、前記監視撮影手段は、前記モード設定手段により監視モードが設定され且つ前記充電用スタンドと接続された状態で、前記指定端末接続手段による予め指定された通信端末との接続に応じて前記撮像手段により撮影を行い、前記監視画像送信手段は、前記監視撮影手段により撮影された画像データを前記指定端末接続手段により接続された通信端末へ送信する。
【００２５】
これによれば、通常モードでシャッタボタンの操作に応じて撮影が行えるカメラ付き携帯電話と、充電用スタンドに接続した監視モードで周囲環境の状態検出内容が通報条件になったことに応じて監視撮影とその撮影画像の指定の通信端末への接続送信が行えるカメラ付き携帯電話とを簡単に切り換えて利用できることになる。
【００２６】
本発明の請求項９に記載のカメラ付き携帯電話装置は、前記請求項８に記載のカメラ付き携帯電話装置にあって、前記状態検出手段は、前記モード設定手段により監視モードが設定され且つ前記充電用スタンドと接続された状態で、当該充電用スタンドに内蔵された各種センサからの検出データに基づき周囲の環境状態を検出する。
【００２７】
これによれば、周囲の環境状態を充電用スタンドに内蔵された各種センサからの検出データに基づき検出できることになる。
【００２８】
本発明の請求項１０に記載のカメラ付き携帯電話装置は、前記請求項８に記載のカメラ付き携帯電話装置にあって、前記状態検出手段は、前記モード設定手段により監視モードが設定され且つ前記充電用スタンドと接続された状態で、装置本体に内蔵された各種センサからの検出データに基づき周囲の環境状態を検出する。
【００２９】
これによれば、周囲の環境状態を装置本体に内蔵された各種センサからの検出データに基づき検出できることになる。
【００３０】
本発明の請求項１１に記載のカメラ付き携帯電話装置は、前記請求項８ないし請求項１０の何れか１項に記載のカメラ付き携帯電話装置にあって、前記予め指定された通信端末は、予め指定された電話番号の通信端末である。
【００３１】
これによれば、充電用スタンドに接続した監視モードにあって、周囲環境の状態検出内容が通報条件になったことに応じて監視撮影した撮影画像を例えば外出ユーザの携帯電話へ接続して送信できることになる。
【００３２】
本発明の請求項１２に記載のカメラ付き携帯電話装置は、前記請求項１１に記載のカメラ付き携帯電話装置にあって、他の通信端末との電話接続中において、動画像と共に音声の送受信を行うテレビ電話機能を更に備え、前記監視撮影手段は、前記撮像手段によりリアルタイムで動画の撮影を行い、前記監視画像送信手段は、前記予め指定された電話番号の通信端末からの着信があった場合には、前記テレビ電話機能を利用して前記リアルタイムで撮影された動画像データを送信する。
【００３３】
これによれば、充電用スタンドに接続した監視モードにあって、周囲環境の状態検出内容が通報条件になったことに応じてリアルタイムに監視撮影した動画像データをテレビ電話機能によって例えば外出ユーザの携帯電話へ接続して送信できることになる。
【００３４】
本発明の請求項１３に記載のカメラ付き携帯電話装置は、前記請求項１２に記載のカメラ付き携帯電話装置にあって、さらに、前記充電用スタンドは、接続されたカメラ付き携帯電話装置の回転機能を有し、回転指示判断手段によって前記指定端末接続手段により接続された通信端末からの撮影方向回転指示の有無を判断し、回転指示が有ると判断された場合には、その回転制御信号を回転制御出力手段によって前記充電用スタンドへ出力する。
【００３５】
これによれば、リアルタイムの監視画像を送信している外出ユーザの携帯電話からの回転指示に応じて、充電用スタンドにおける本カメラ付き携帯電話装置の回転機能を制御できることになる。
【００３６】
本発明の請求項１４に記載のカメラ付き携帯電話装置は、前記請求項１２または請求項１３に記載のカメラ付き携帯電話装置にあって、さらに、前記指定端末接続手段により予め指定された電話番号の通信端末との接続ができなかった場合には、電話接続不能時の監視画像送信手段によって前記撮像手段により撮影した画像データを予め指定されたメールアドレスの通信端末へ送信する。
【００３７】
これによれば、周囲環境の状態検出内容が通報条件になったことに応じて、例えば外出ユーザの携帯電話への電話での接続ができなくても、監視撮影した画像データを当該外出ユーザの携帯電話へ電子メールで送信できることになる。
【００３８】
本発明の請求項１５に記載のカメラ付き携帯電話装置のスタンドは、カメラ付き携帯電話装置を装着して充電する機能と、前記カメラ付き携帯電話装置との通信接続手段と、前記カメラ付き携帯電話装置が装着されたスタンド部分を回転させる回転駆動手段とを有し、前記カメラ付き携帯電話装置から前記通信接続手段により受信された撮影方向の回転制御信号に応じて前記回転駆動手段によるスタンド部分の回転を回転制御手段によって制御する。
【００３９】
これによれば、本スタンドに装着されたカメラ付き携帯電話からの回転制御信号によって当該カメラ付き携帯電話の撮影方向を変更できることになる。
【００４０】
本発明の請求項１６に記載のカメラ付き携帯電話装置のスタンドは、前記請求項１５に記載のカメラ付き携帯電話装置のスタンドにあって、さらに、周囲の環境状態を検出する複数種類のセンサを有し、センサデータ送信制御手段によって前記各種センサにより検出されるデータを前記通信接続手段により前記カメラ付き携帯電話装置へ送信させる。
【００４１】
これによれば、本スタンドに内蔵した各種センサからの検出データに基づいて、装着中のカメラ付き携帯電話装置の側で周囲の環境状態を判断できることになる。
【発明の効果】
【００４２】
本発明の請求項１（請求項１７）に記載のカメラ付き携帯電話装置（制御プログラム）によれば、通常モードでシャッタボタンの操作に応じて撮影が行えるカメラ付き携帯電話と、監視モードでシャッタボタンの操作によらない例えば指定の電話からの着信動作に応じて監視撮影とその画像送信が行えるカメラ付き携帯電話とを簡単に切り換えて利用できるようになる。
【００４３】
本発明の請求項２に記載のカメラ付き携帯電話装置によれば、前記請求項１に記載のカメラ付き携帯電話装置にあって、監視モードを設定しない状態では、通常の電話による通話、カメラ撮影が行えるカメラ付き携帯電話として利用でき、監視モードを設定すれば、マイク、スピーカ、操作ボタンを必要とせずに電話機能、カメラ撮影機能を利用した監視撮影とその撮影画像の送信ができるようになる。
【００４４】
本発明の請求項３に記載のカメラ付き携帯電話装置によれば、前記請求項２に記載のカメラ付き携帯電話装置にあって、監視モードでの着信時には着信音がならないように制御できるようになる。
【００４５】
本発明の請求項４に記載のカメラ付き携帯電話装置によれば、前記請求項１ないし請求項３の何れか１項に記載のカメラ付き携帯電話装置にあって、例えば外出ユーザの携帯電話からの着信に応じて監視撮影した画像データを当該外出ユーザの携帯電話へ送信できるようになる。
【００４６】
本発明の請求項５に記載のカメラ付き携帯電話装置によれば、前記請求項４に記載のカメラ付き携帯電話装置にあって、例えば外出ユーザの携帯電話からの電話での着信に応じて監視撮影した画像データを当該着信接続された外出ユーザの携帯電話へ送信できるようになる。
【００４７】
本発明の請求項６に記載のカメラ付き携帯電話装置によれば、前記請求項４に記載のカメラ付き携帯電話装置にあって、例えば外出ユーザの携帯電話からの電子メールでの着信に応じて監視撮影した画像データを当該外出ユーザの携帯電話へ電子メールで送信できるようになる。
【００４８】
本発明の請求項７に記載のカメラ付き携帯電話装置によれば、前記請求項５に記載のカメラ付き携帯電話装置にあって、例えば外出ユーザの携帯電話からの電話での着信に応じてリアルタイムに監視撮影した動画像データをテレビ電話機能によって当該着信接続された外出ユーザの携帯電話へ送信できるようになる。
【００４９】
本発明の請求項８に記載のカメラ付き携帯電話装置によれば、前記請求項１ないし請求項３の何れか１項に記載のカメラ付き携帯電話装置にあって、通常モードでシャッタボタンの操作に応じて撮影が行えるカメラ付き携帯電話と、充電用スタンドに接続した監視モードで周囲環境の状態検出内容が通報条件になったことに応じて監視撮影とその撮影画像の指定の通信端末への接続送信が行えるカメラ付き携帯電話とを簡単に切り換えて利用できるようになる。
【００５０】
本発明の請求項９に記載のカメラ付き携帯電話装置によれば、前記請求項８に記載のカメラ付き携帯電話装置にあって、周囲の環境状態を充電用スタンドに内蔵された各種センサからの検出データに基づき検出できるようになる。
【００５１】
本発明の請求項１０に記載のカメラ付き携帯電話装置によれば、前記請求項８に記載のカメラ付き携帯電話装置にあって、周囲の環境状態を装置本体に内蔵された各種センサからの検出データに基づき検出できるようになる。
【００５２】
本発明の請求項１１に記載のカメラ付き携帯電話装置によれば、前記請求項８乃至請求項１０の何れか１項に記載のカメラ付き携帯電話装置にあって、充電用スタンドに接続した監視モードにあって、周囲環境の状態検出内容が通報条件になったことに応じて監視撮影した撮影画像を例えば外出ユーザの携帯電話へ接続して送信できるようになる。
【００５３】
本発明の請求項１２に記載のカメラ付き携帯電話装置によれば、前記請求項１１に記載のカメラ付き携帯電話装置にあって、充電用スタンドに接続した監視モードにあって、周囲環境の状態検出内容が通報条件になったことに応じてリアルタイムに監視撮影した動画像データをテレビ電話機能によって例えば外出ユーザの携帯電話へ接続して送信できるようになる。
【００５４】
本発明の請求項１３に記載のカメラ付き携帯電話装置によれば、前記請求項１２に記載のカメラ付き携帯電話装置にあって、さらに、リアルタイムの監視画像を送信している外出ユーザの携帯電話からの回転指示に応じて、充電用スタンドにおける本カメラ付き携帯電話装置の回転機能を制御できるようになる。
【００５５】
本発明の請求項１４に記載のカメラ付き携帯電話装置によれば、前記請求項１２または請求項１３に記載のカメラ付き携帯電話装置にあって、さらに、周囲環境の状態検出内容が通報条件になったことに応じて、例えば外出ユーザの携帯電話への電話での接続ができなくても、監視撮影した画像データを当該外出ユーザの携帯電話へ電子メールで送信できるようになる。
【００５６】
本発明の請求項１５に記載のカメラ付き携帯電話装置のスタンドによれば、本スタンドに装着されたカメラ付き携帯電話からの回転制御信号によって当該カメラ付き携帯電話の撮影方向を変更できるようになる。
【００５７】
本発明の請求項１６に記載のカメラ付き携帯電話装置のスタンドによれば、前記請求項１５に記載のカメラ付き携帯電話装置のスタンドにあって、さらに、本スタンドに内蔵した各種センサからの検出データに基づいて、装着中のカメラ付き携帯電話装置の側で周囲の環境状態を判断できるようになる。
【００５８】
よって、本発明によれば、監視専用のカメラシステムを導入することなく、必要に応じて簡単に監視対象の画像を撮影して取得することが可能になるカメラ付き携帯電話装置、カメラ付き携帯電話装置のスタンド、およびカメラ付き携帯電話装置の制御プログラムを提供できる。
【図面の簡単な説明】
【００５９】
【図１】本発明の実施形態に係るカメラ付き携帯電話装置１０の外観構成を示す正面図。
【図２】前記カメラ付き携帯電話装置１０を装着した充電＆回転用クレードル（スタンド）２０の外観構成を示す斜視図。
【図３】前記カメラ付き携帯電話装置１０および充電＆回転用クレードル（スタンド）２０の電子回路の構成を示すブロック図。
【図４】前記携帯電話装置１０のＲＡＭ１８内に備えられる一部データメモリの内容を示す図。
【図５】前記カメラ付き携帯電話装置１０を単独で使用した場合の着信対応監視処理を示すフローチャート。
【図６】前記カメラ付き携帯電話装置１０を充電＆回転用クレードル２０に装着して使用した場合の常時監視処理を示すフローチャート。
【図７】前記充電＆回転用クレードル２０における充電・回転処理を示すフローチャート。
【発明を実施するための形態】
【００６０】
以下図面により本発明の実施の形態について説明する。
【００６１】
図１は、本発明の実施形態に係るカメラ付き携帯電話装置１０の外観構成を示す正面図である。
【００６２】
このカメラ付き携帯電話装置１０は、その正面の下半分の領域にキー入力部１１、上半分の領域に液晶表示部１２を有し、キー入力部１１の下部には音声入力用のマイク１３が設けられ、液晶表示部１２の上部には音声出力用のスピーカ１４が設けられる。また、装置本体の上端部右端にはアンテナ１５が設けられ、さらに同上端部中央にはデジタルカメラの撮像部１６が設けられる。
【００６３】
前記キー入力部１１には、各種の数字，記号，文字を入力するための文字・記号入力キー群１１ａが備えられると共に、電源のＯＮ／ＯＦＦ、カメラシャッタのレリーズ、通常の電話／電子メールモード、テレビ電話モード、監視カメラモード、常時監視モードなど、各種モードの切り替えや設定の切り替え、表示画面上でのカーソル移動による各種データや項目の選択、選択内容の確定などを行うための機能操作キー（操作ボタン）１１ｂが備えられる。
【００６４】
このカメラ付き携帯電話装置１０は、例えば通常の電話／電子メールモードや監視カメラモードにおいては内蔵の充電池によって独立で使用され、常時監視モードにおいては充電＆回転用のクレードル（スタンド）２０（図２参照）に装着されて使用される。
【００６５】
図２は、前記カメラ付き携帯電話装置１０を装着した充電＆回転用クレードル（スタンド）２０の外観構成を示す斜視図である。
【００６６】
カメラ付き携帯電話装置１０の充電＆回転用クレードル２０は、装着された携帯電話装置１０への充電、および当該携帯電話装置１０を水平方向Ｘおよび垂直方向Ｙに回動することによる撮像方向の変更を行うもので、円筒形状の固定台座２１、この固定台座２１の上部に水平方向Ｘに回転自在に載置された水平回転部２２、この水平回転部２２の上部中央に垂直方向Ｙの一定角度の範囲で回転自在に設けられた垂直回転部２３からなる。
【００６７】
そして、前記垂直回転部２３の上部中央の位置に、カメラ付き携帯電話装置１０の装着スロット２０Ｈが設けられる。
【００６８】
水平回転部２２は、固定台座２１に固定されて内蔵された水平回転モータ２４により水平方向Ｘに回転駆動され、垂直回転部２３は、水平回転部２２に固定されて内蔵された垂直回転モータ２５により垂直方向Ｙに回転駆動される。
【００６９】
前記水平回転モータ２４および垂直回転モータ２５に対する回転制御信号は、前記カメラ付き携帯電話装置１０によるリアルタイムな撮影画像（動画像）が指定の番号の電話に対して通信転送されている場合に、当該撮影画像転送先の電話からのカメラ（撮像方向）回転の指示に従い本携帯電話装置１０を経由して与えられる。
【００７０】
また、前記充電＆回転用クレードル２０は、音、光、煙、振動、温度、気圧などを検出するための各種のセンサ２６ａ，２６ｂ，…を内蔵し、各種センサ２６ａ，２６ｂ，…による検出データは当該クレードル２０の設置された環境での状態変化データとして携帯電話装置１０に与えられる。
【００７１】
なお、前記充電＆回転用クレードル２０には、ＡＣコンセント２７から電源電圧を供給し、カメラ付き携帯電話装置１０への充電用の電源とする一方で、水平回転モータ２４や垂直回転モータ２５および各種センサ２６ａ，２６ｂ，…の駆動用の電源とする。
【００７２】
図３は、前記カメラ付き携帯電話装置１０および充電＆回転用クレードル（スタンド）２０の電子回路の構成を示すブロック図である。
【００７３】
カメラ付き携帯電話装置１０は、コンピュータ等からなる制御部（ＣＰＵ）１０Ａを備えている。
【００７４】
制御部（ＣＰＵ）１０Ａは、キー入力部１１から入力されるキー（ボタン）操作入力信号やアンテナ１５および通信制御部１５Ａを介して受信される通信信号、あるいは前記充電＆回転用クレードル２０の各種のセンサ２６ａ，２６ｂ，…から与えられる状態変化データに応じて、ＲＯＭ１７に予め記憶されているシステムプログラムを起動させ、あるいは小型メモリカードなどの外部記憶媒体１８Ｍに予め記憶されている当該カメラ付き携帯電話装置１０の制御プログラムを記憶媒体読書部１８Ａにより読み取らせて起動させ、あるいは公共通信ネットワーク（インターネットなど）上の他のコンピュータ端末から通信制御部１５Ａに受信されて読み込まれた同制御プログラムを起動させ、ＲＡＭ１８を作業用メモリとして本携帯電話装置１０の回路各部および充電＆回転用クレードル２０の回路各部の動作制御を行なうものである。
【００７５】
この制御部（ＣＰＵ）１０Ａには、前記キー入力部１１、液晶表示部１２、カメラ制御部１６Ａを介した撮像部１６、ＲＯＭ１７、記憶媒体読書部１８Ａ、通信制御部１５Ａを介したアンテナ１５、ＲＡＭ１８、時計回路１９が接続され、また、通信制御部１５Ａにて送受信処理する通話音声信号を音声として入力および出力させるための音声変換部１３Ａおよびマイク１３，スピーカ１４が接続される。
【００７６】
また、制御部（ＣＰＵ）１０Ａには、電源供給自動ＯＮ／ＯＦＦ回路（ＥＣ）が接続され、電源のスリープ処理やウエイクアップ処理が必要に応じて自動で行われる。
【００７７】
さらに、制御部（ＣＰＵ）１０Ａには、外部Ｉ／Ｏインターフェイス＆充電部１０Ｂが接続され、充電＆回転用クレードル２０側の外部Ｉ／Ｏインターフェイス＆充電部２０Ｂを介してその電子回路と接続される。
【００７８】
そして、カメラ付き携帯電話装置１０の電子回路は、充電＆回転用クレードル２０との接続時には、当該クレードル２０から供給される電源電圧によって直接駆動され、またクレードル２０との非接続時には、当該クレードル２０との接続時において充電された充電池１０Ｅからの充電電圧によって駆動される。
【００７９】
充電＆回転用クレードル２０の電子回路には、制御部（ＣＰＵ）２０Ａが備えられ、この制御部（ＣＰＵ）２０Ａには前記外部Ｉ／Ｏインターフェイス＆充電部２０Ｂおよびセンサorモータ制御部２８が接続される。
【００８０】
この充電＆回転用クレードル２０に内蔵される水平回転モータ２４および垂直回転モータ２５は、前記カメラ付き携帯電話装置１０から外部Ｉ／Ｏインターフェイス＆充電部２０Ｂを介して入力される回転制御信号に応じてセンサorモータ制御部２８によって回転駆動される。また各種のセンサ２６ａ，２６ｂ，…は、センサorモータ制御部２８によってその検出動作が制御され、各検出データは外部Ｉ／Ｏインターフェイス＆充電部２０Ｂを介して前記カメラ付き携帯電話装置１０へ転送される。
【００８１】
そして、ＡＣコンセント２７からの電源電圧は充電回路２９に供給され、この充電回路２９によってカメラ付き携帯電話装置１０への充電用の電源とする一方で、水平回転モータ２４や垂直回転モータ２５、各種センサ２６ａ，２６ｂ，…の駆動電源とされる。
【００８２】
一方、前記カメラ付き携帯電話装置１０のＲＯＭ１７には、本装置１０の電子回路における全体の処理を司るシステムプログラムデータが予め記憶されると共に、電話通信モード、インターネット通信モード、電子メールモード、通常カメラ撮影モード、そして、電話による通話音声入出力と並行してリアルタイムな撮影画像を送受信するテレビ電話モード、指定の電話番号または指定のメールアドレスからの着信または受信に従いリアタイムな撮影動画像，音声データまたは１ショットの撮影画像データを送信するための監視カメラモード、前記充電＆回転用クレードル２０への装着時において常時撮影による動画像，音声データや各種センサ２６ａ，２６ｂ，…からの状態変化データに基づき予め設定された状態変化条件となった際に指定の電話番号または指定のメールアドレスに対して発信またはアクセスし当該動画像，音声データまたは条件判断時前後の撮影画像データを送信するための常時監視モード等、各種の動作モードに対応した制御プログラムデータも予め記憶される。
【００８３】
図４は、前記携帯電話装置１０のＲＡＭ１８内に備えられる一部データメモリの内容を示す図である。
【００８４】
ＲＡＭ１８には、モードデータメモリ１８ａ、監視指定アドレスメモリ１８ｂ、監視指定番号メモリ１８ｃ、撮像データメモリ１８ｄ、動画像・音声データメモリ１８ｅ、クレードル装着データメモリ１８ｆ、各種センサデータメモリ１８ｇ、通報条件データメモリ１８ｈ、電話帳データメモリ１８ｉ、そしてワークエリア１８ｊ等の各種のデータメモリが備えられる。
【００８５】
モードデータメモリ１８ａには、前記電話通信モード、インターネット通信モード、電子メールモード、通常カメラ撮影モード、テレビ電話モード、監視カメラモード、常時監視モード等、各種動作モードの選択設定データが記憶される。
【００８６】
監視指定アドレスメモリ１８ｂには、監視カメラモードや常時監視モードにおいて監視通報のための通信先としてユーザにより指定される端末メールアドレスが記憶される。
【００８７】
監視指定番号メモリ１８ｃには、監視カメラモードや常時監視モードにおいて監視通報のための通信先としてユーザにより指定される端末電話番号が記憶される。
【００８８】
撮像データメモリ１８ｄには、カメラ制御部１６Ａの制御により撮像部１６にて撮影された１ショットの撮影画像データが記憶される。
【００８９】
動画像・音声データメモリ１８ｅには、カメラ制御部１６Ａの制御により撮像部１６にてリアルタイムに撮影された動画像データおよび音声変換部１３Ａを介してマイク１３から入力された音声データが記憶される。
【００９０】
クレードル装着データメモリ１８ｆには、本カメラ付き携帯電話装置１０の前記充電＆回転用クレードル２０に対する装着と接続が外部Ｉ／Ｏインターフェイス＆充電部１０Ｂを介して検出された状態でクレードル装着フラグが記憶される。
【００９１】
各種センサデータメモリ１８ｇには、前記各種のセンサ２６ａ，２６ｂ，…により検出される音、光、煙、振動、温度、気圧などの各検出データがリアルタイムに更新されて記憶される。
【００９２】
通報条件データメモリ１８ｈには、常時監視モードにおいて前記動画像・音声データメモリ１８ｅに記憶される常時撮影による動画像，音声データや前記撮像データメモリ１８ｄに記憶される撮影画像データを前記監視指定番号メモリ１８ｃに記憶される電話番号の端末や前記監視指定アドレスメモリ１８ｂに記憶されるメールアドレスの端末へ通報するための条件データが、各種センサ２６ａ，２６ｂ，…による検出条件データ、スケジュールデータ（時刻データ）、撮影画像の解析による移動物体の検出データなどを組み合わせて設定記憶される。
【００９３】
例えば各種のセンサ２６ａ，２６ｂ，…の１つである音圧センサによる検出音圧データが一定音圧以上、光センサによる検出照度データが一定照度以上、煙センサによる検出煙データが一定煙（粒子）以上、振動センサによる検出振動データが一定振動以上、温度センサによる検出温度が一定温度以上、気圧センサによる検出気圧データが一定気圧以上など、またスケジュールデータ（時刻データ）では毎時、移動物体の検出データでは移動物体有りなど、それぞれ個々の条件データがユーザ任意に組み合わされて設定される。
【００９４】
電話帳データメモリ１８ｉには、ユーザ自身の所有する他の通信端末の電話番号やメールアドレスをはじめ、友人，知人の電話番号やメールアドレスが記憶される。
【００９５】
ワークエリア１８ｊには、各種動作モードの制御処理に伴ない制御部（ＣＰＵ）１０Ａにより入出力されるデータが一時的に記憶される。
【００９６】
なお、充電＆回転用クレードル２０に内蔵された音、光、煙、振動、温度、気圧などを検出するための各種のセンサ２６ａ，２６ｂ，…は、携帯電話装置１０において各種センサ制御部２６Ａによって予め内蔵させる構成としてもよい。
【００９７】
次に、前記構成によるカメラ付き携帯電話装置１０および充電＆回転用クレードル２０の動作について説明する。
【００９８】
（監視カメラモード）
図５は、前記カメラ付き携帯電話装置１０を単独で使用した場合の着信対応監視処理を示すフローチャートである。
【００９９】
ユーザは本カメラ付き携帯電話装置１０の他に監視指定アドレスメモリ１８ｂおよび監視指定番号メモリ１８ｃにそのメールアドレスおよび電話番号が記憶される少なくとも１台の携帯電話装置を所有し、本カメラ付き携帯電話装置１０を、例えば自宅の定位置にいるペット（水槽の熱帯魚やかごの小鳥など）の監視のために外出の際に該ペットを撮影可能な位置に設置し、他の１台の携帯電話装置を携帯して外出する。
【０１００】
カメラ付き携帯電話装置１０において、アンテナ１５および通信制御部１５Ａを介して他の通信端末からの着信が検知されると、電源供給自動ＯＮ／ＯＦＦ回路（ＥＣ）によってウエイクアップ状態となり、モードデータメモリ１８ａに記憶されているモード設定データに従い現在の動作モードが監視カメラモードであるか否か判断される（ステップＳ１，Ｓ２）。
【０１０１】
ここで、現在の動作モードが監視カメラモードではなく、例えば通常の待ち受けモードであると判断されると（ステップＳ２（Ｎ））、着信音が鳴動された後（ステップＳ３）、電話着信の場合には通常の通話処理に移行され、電子メール着信の場合には通常の電子メール受信処理に移行される（ステップＳ４）。
【０１０２】
一方、現在の動作モードが監視カメラモードであると判断されると（ステップＳ２（Ｙ））、着信音は鳴動されずに、前記通信制御部１５Ａによる着信動作の種別が電子メールの着信であるかまたは電話の着信であるかが判断される（ステップＳ５）。
【０１０３】
ここで、電子メールの着信であると判断された場合には、メール送信元端末のメールアドレスがＲＡＭ１８内の監視指定アドレスメモリ１８ｂに設定記憶されたユーザが外出携帯中のもう１台の携帯電話装置の指定メールアドレスであるか否か判断され（ステップＳ５→Ｓ６）、指定のメールアドレスではないと判断された場合には、前記通常の電子メール受信処理に移行される（ステップＳ６→Ｓ４）。
【０１０４】
一方、前記メール着信元端末のメールアドレスが、ユーザが現在外出して携帯中のもう１台の携帯電話装置の指定メールアドレスであると判断された場合には（ステップＳ６（Ｙ））、カメラ制御部１６Ａによって撮像部１６の撮像動作が制御されて１ショットの撮影画像が取得されＲＡＭ１８内の撮像データメモリ１８ｄに記憶されると共に（ステップＳ７）、この撮影画像データが前記指定のメールアドレスであるメール着信元の携帯電話装置に対して電子メールで送信される（ステップＳ８）。すると、電源供給自動ＯＮ／ＯＦＦ回路（ＥＣ）によってスリープ状態へ切り換えられる（ステップＳ９）。
【０１０５】
これにより、本カメラ付き携帯電話装置１０により撮影された例えば留守宅にいる現在のペットの状態を撮影した撮影画像を、外出中であるユーザの携帯電話装置からのメール送信によって非常に簡単に手元の端末に取得して見て確認できるようになる。
【０１０６】
一方、前記ステップＳ５において、通信制御部１５Ａによる着信動作の種別が電話の着信であると判断された場合には、電話発信元の電話番号がＲＡＭ１８内の監視指定番号メモリ１８ｃに設定記憶されたユーザが外出携帯中のもう１台の携帯電話装置の指定の電話番号であるか否か判断される（ステップＳ５→Ｓ１０）。
【０１０７】
そして、電話発信元の電話番号がユーザが外出携帯中のもう１台の携帯電話装置の電話番号であると判断された場合には（ステップＳ１０（Ｙ））、カメラ制御部１６Ａによって撮像部１６の撮像動作が制御されてリアルタイムな動画像が取得されると共に、マイク１３から音声変換部１３Ａを介して周囲の音声が入力され、この動画像および音声データがＲＡＭ１８内の動画像・音声データメモリ１８ｅに逐次更新記憶されると共に、テレビ電話の機能によって現在通話状態にある電話発信元の携帯電話装置に対して転送される（ステップＳ１１）。
【０１０８】
これにより、本カメラ付き携帯電話装置１０によりリアルタイムに撮影および音声入力された例えば留守宅にいる現在のペットの状態を撮影した動画像および音声を、外出中であるユーザの携帯電話装置からの電話によって非常に簡単に手元の端末に取得して見て聞いて確認できるようになる。
【０１０９】
そして、電話発信元のであるユーザの携帯電話装置から接続が断たれた場合には、電源供給自動ＯＮ／ＯＦＦ回路（ＥＣ）によってスリープ状態へ切り換えられる（ステップＳ１２→Ｓ９）。
【０１１０】
一方、前記ステップＳ１０において、電話発信元の電話番号がユーザが外出携帯中のもう１台の携帯電話装置である指定の電話番号ではないと判断された場合には、不在案内の音声メッセージが予め設定された指定の秒数再生されて応答された後（ステップＳ１０→Ｓ１３）、電話の接続が切断され（ステップＳ１４）、電源供給自動ＯＮ／ＯＦＦ回路（ＥＣ）によってスリープ状態へ切り換えられる（ステップＳ９）。
【０１１１】
従って、このようなカメラ付き携帯電話装置１０による監視カメラ機能によれば、ユーザ外出先からの電子メールまたは電話の着信に応答してウエイクアップし、その時点で撮影した留守宅内の状態を見ることのできる撮影画像データ、またはリアルタイム撮影した動画像および音声データを、外出先ユーザの端末へ送信し容易に監視，確認させることができるようになる。
【０１１２】
（常時監視モード）
図６は、前記カメラ付き携帯電話装置１０を充電＆回転用クレードル２０に装着して使用した場合の常時監視処理を示すフローチャートである。
【０１１３】
ユーザは本カメラ付き携帯電話装置１０の他に監視指定アドレスメモリ１８ｂおよび監視指定番号メモリ１８ｃにそのメールアドレスおよび電話番号が記憶される少なくとも１台の携帯電話装置を所有し、本カメラ付き携帯電話装置１０を、例えば自宅の部屋にいて動き回るペット（犬や猫など）の監視のため、外出の際に該ペットの居る部屋に設置した充電＆回転用クレードル２０に装着し（図２参照）、他の１台の携帯電話装置を携帯して外出する。
【０１１４】
充電＆回転用クレードル２０に装着されたカメラ付き携帯電話装置１０において、電源がＯＮにされると、電源供給自動ＯＮ／ＯＦＦ回路（ＥＣ）によってウエイクアップ状態となり、モードデータメモリ１８ａに記憶されているモード設定データに従い現在の動作モードが常時監視モードであるか否か判断される（ステップＴ１，Ｔ２）。
【０１１５】
ここで、現在の動作モードが常時監視モードではないと判断された場合には、前記電源供給自動ＯＮ／ＯＦＦ回路（ＥＣ）によってスリープ状態に切り換えられる（ステップＴ３）。
【０１１６】
一方、現在の動作モードが常時監視モードであると判断された場合でも（ステップＴ２（Ｙ））、ＲＡＭ１８内のクレードル装着データメモリ１８ｆに記憶されているクレードル装着フラグの有無に従い、充電＆回転用クレードル２０への接続が無いと判断された場合には、前記電源供給自動ＯＮ／ＯＦＦ回路（ＥＣ）によってスリープ状態に切り換えられる（ステップＴ４→Ｔ３）。
【０１１７】
一方、現在の動作モードが常時監視モードであると判断されると共に（ステップＴ２（Ｙ））、図２で示したように、充電＆回転用クレードル２０への接続が有ると判断された場合には（ステップＴ４（Ｙ））、監視指定番号メモリ１８ｃに記憶されている外出中ユーザの携帯電話装置である指定の電話番号からの着信の有無が判断される（ステップＴ５）。
【０１１８】
ここで、外出中ユーザの携帯電話装置である指定の電話番号からの着信が無いと判断される状態では（ステップＴ５（Ｎ））、各種センサ２６ａ，２６ｂ，…からの音、光、煙、振動、温度、気圧などの検出データがＲＡＭ１８内の各種センサデータメモリ１８ｇに逐次更新されながら記憶されると共に、時計回路１９からの現在時刻データの取得や撮像部１６によるリアルタイムな撮影動画像データを解析した移動物体の検出などが行われ（ステップＴ６）、これらの各種センサ検出データや現在時刻データおよび移動物体の検出データなどによる監視対象環境（部屋など）の状態変化データが、通報条件データメモリ１８ｈに設定記憶された指定の端末への通報条件データに合致する状態となったか否か繰り返し判断される（ステップＴ７）。
【０１１９】
そして、例えば温度検出データや煙（粒子）検出データによる状態変化データが一定以上の検出データ値となり、通報条件データに合致する状態になったと判断された場合には（ステップＴ７（Ｙ））、監視指定番号メモリ１８ｃに記憶されている外出中のユーザの携帯電話番号に対し電話による発信が行われ（ステップＴ８）、その着信応答があるか否か判断される（ステップＴ９）。
【０１２０】
このステップＴ９において、外出中ユーザの携帯電話への発信に対しその着信応答があったと判断された場合には、カメラ制御部１６Ａによって撮像部１６の撮像動作が制御されてリアルタイムな動画像が取得されると共に、マイク１３から音声変換部１３Ａを介して周囲の音声が入力され、この動画像および音声データがＲＡＭ１８内の動画像・音声データメモリ１８ｅに逐次更新記憶されると共に、テレビ電話機能によって着信応答のあった外出ユーザの携帯電話装置に対して転送される（ステップＴ１０）。
【０１２１】
この際、外出ユーザの携帯電話装置には、留守宅の充電＆回転用クレードル２０に装着してきたカメラ付き携帯電話装置１０によりリアルタイムに撮影されている動画像および音声データが表示再生され、監視対象環境（部屋など）の状態変化が実際に見聞きできる状態で通報される。
【０１２２】
一方、前記通報条件データに合致する状態とならない場合でも（ステップＴ７（Ｎ））、外出ユーザの携帯電話装置である指定の電話番号からの着信が有ったと判断された場合には（ステップＴ５（Ｙ））、前記同様に撮像部１６の撮像動作が制御されてリアルタイムな動画像が取得されると共に、マイク１３から音声変換部１３Ａを介して周囲の音声が入力され、この動画像および音声データがＲＡＭ１８内の動画像・音声データメモリ１８ｅに逐次更新記憶されると共に、テレビ電話機能によって着信のあった外出ユーザの携帯電話装置に対して転送される（ステップＴ１０）。
【０１２３】
この場合には、外出中であるユーザの携帯電話装置からの電話によって、本カメラ付き携帯電話装置１０によりリアルタイムに撮影および音声入力された例えば留守宅の状態である動画像および音声を、非常に簡単に手元の端末に取得して見聞き確認できるようになる。
【０１２４】
そして、現在通話状態となってリアタイムな撮影動画像および音声データを転送中にある前記外出中ユーザの携帯電話装置からの音声入力による指示あるいはキー（ボタン）操作による指示により、音声認識あるいはキーコード判断によってカメラ撮影方向の前後（上下）左右方向への回転の指示があったと判別された場合には（ステップＴ１１，Ｔ１２（Ｙ））、接続中の充電＆回転用クレードル２０に対して前記ユーザ携帯電話からの指示に応じた前後（上下）左右方向への回転制御信号が送信される（ステップＴ１３）。
【０１２５】
図７は、前記充電＆回転用クレードル２０における充電・回転処理を示すフローチャートである。
【０１２６】
充電＆回転用クレードル２０において、前記カメラ付き携帯電話装置１０が装着され接続された状態では（ステップＰ１（Ｙ））、外部Ｉ／Ｏインターフェイス＆充電部２０Ｂを介して検出される携帯電話装置１０側の充電池１０Ｅの電圧レベルが検出され、充電の必要な状態であるか否か判断されると共に（ステップＰ２）、カメラ撮影方向の回転制御信号が受信された否か判断される（ステップＰ４）。
【０１２７】
そして、前記カメラ付き携帯電話装置１０の充電池１０Ｅの検出電圧レベルが充電の必要な状態であると判断された場合には、充電回路２９から前記外部Ｉ／Ｏインターフェイス＆充電部２０Ｂを介してその充電電圧が供給され（ステップＰ２→Ｐ３）、また、カメラ撮影方向の回転制御信号が受信されたと判断された場合には、その前後（上下）または左右方向への回転制御信号に応じて、モータ制御部２８を介し垂直回転モータ２５または水平回転モータ２４が回転駆動され（ステップＰ４→Ｐ５）、図２で示すように、リアルタイム撮影中にあるカメラ付き携帯電話装置１０の設置方向（撮影方向）が、垂直方向Ｙまたは水平方向Ｘに回転される。
【０１２８】
これにより、外出ユーザの携帯電話装置に対して、留守宅の充電＆回転用クレードル２０に装着してきたカメラ付き携帯電話装置１０によりリアルタイムに撮影される動画像および音声データを表示再生させ、監視対象環境（部屋など）の状態変化を実際に見聞きできる状態で通報したり、逆に外出ユーザからの電話によって、本カメラ付き携帯電話装置１０によりリアルタイムに撮影，音声入力される留守宅の動画像および音声データを送信させ、手元の端末に簡単に取得して見聞き確認できるだけでなく、外出ユーザの携帯電話装置からの指示により充電＆回転用クレードル２０を回転駆動させ、その撮影画像および音声データの取得方向を任意の方向に変更制御して、監視対象のペットなどの状態を確実に確認できるようになる。
【０１２９】
そして、通話状態にある外出ユーザの携帯電話装置から接続が断たれた場合には（ステップＴ１４（Ｙ））、前記ステップＴ５からの処理に戻り、当該外出ユーザの携帯電話装置からの再着信待ちの状態、または各種センサ検出処理などに基づく通報条件合致待ちの状態に復帰する（ステップＴ５〜Ｔ７）。
【０１３０】
一方、前記ステップＴ９において、外出中ユーザの携帯電話への発信に対しその着信応答がないと判断された場合には、前記通報条件の合致判断時期に対応して撮像部１６により撮影されて撮像データメモリ１８ｄに記憶された複数枚の撮影画像データが、監視指定アドレスメモリ１８ｂに記憶されている指定のメールアドレスである外出ユーザの携帯電話装置に対して電子メールで送信される（ステップＴ９→Ｔ１５）。
【０１３１】
これにより、監視対象環境（部屋など）の状態変化データが指定の端末への通報条件データに合致することにより行った当該指定端末への電話発信に対し応答がない場合でも、その状態変化を伴う撮影画像データを電子メールとして指定の端末アドレスへ送信しておくことで、外出先のユーザに対し前記監視対象環境の状態変化を実際に見て確認できる状態で通報できるようになる。
【０１３２】
なお、前記常時監視処理では、そのステップＴ２において本携帯電話装置１０の動作モードが常時監視モードに設定されていないと判断された場合、また常時監視モードに設定されていると判断された場合でもステップＴ４において充電＆回転用クレードル２０に装着されていないと判断された場合には、ステップＴ３に進み、電源供給自動ＯＮ／ＯＦＦ回路（ＥＣ）によってスリープ状態に切り換えられる手順としたが、このステップＴ３に代えて、前記図５における着信対応監視処理に移行する手順としてもよい。
【０１３３】
また、本実施形態では、カメラ付き携帯電話装置１０による監視カメラ機能や常時監視機能を留守宅のペットを監視するのに適用した場合について説明したが、これに限らず、監視が必要な場所なら何処に対しても同様に適用可能であるのは勿論である。
【０１３４】
したがって、前記構成のカメラ付き携帯電話装置１０によれば、通常時はシャッタカメラおよび携帯電話として機能し、監視カメラモードにおいて予め指定されたメールアドレスの外部端末からの電子メールの着信があると、撮像部１６による１ショットの撮影画像データが電子メールとして前記メール発信元である指定のメールアドレスを有する外部端末へ送信され、また予め指定された電話番号の外部端末からの電話の着信があると、撮像部１６によるリアルタイムの撮影動画像およびマイク１３から入力される音声データが前記電話発信元である指定の電話番号の外部端末へ転送されるので、監視カメラモードでは、例えばユーザが外出時に携帯する携帯電話装置のメールアドレスおよび電話番号を前記指定のメールアドレスおよび電話番号として設定し、当該ユーザは外出先から何時でも監視対象場所に設置した本カメラ付き携帯電話装置１０へ電子メールまたは電話でアクセスするだけで、監視対象の現在の状況を撮影静止画像またはリアルタイムな撮影動画像および音声として取得して確認することができる。
【０１３５】
つまり、このカメラ付き携帯電話装置１０によれば、１つの携帯電話を必要に応じて簡単に通常のカメラ付き携帯電話として利用したり、監視カメラとして利用したりすることができる。
【０１３６】
また、前記構成のカメラ付き携帯電話装置１０および充電＆回転用クレードル２０によれば、通常時はシャッタカメラおよび携帯電話として機能し、常時監視モードにおいて該携帯電話装置１０がクレードル２０に装着され外部電源の供給を受ける状態では、各種センサ２６ａ，２６ｂ，…などにより監視対象場所周辺の状態変化が常時検出され、この状態変化が通報を要する条件となった場合には外出ユーザの携帯電話装置など指定の電話番号に電話を接続して、撮像部１６によるリアルタイムの撮影動画像およびマイク１３から入力される音声データを転送する一方で、前記指定の電話番号から電話の着信接続があった場合にも、同リアルタイムの撮影動画像および音声データを転送するので、常時監視モードでは、監視対象場所の状態変化を常時検出して通報条件となった場合に外出ユーザにリアルタイムの撮影動画像および音声データとして通報できるばかりでなく、外出ユーザが任意で必要とする場合でも、監視対象場所の現在の状態である撮影動画像および音声データを取得して確認することができる。
【０１３７】
そして、前記常時監視モードにおいてカメラ付き携帯電話装置１０から監視対象場所のリアルタイムの撮影動画像および音声データを外出ユーザなどの指定の電話へ転送している状態で、当該指定の電話からカメラ回転の指示が有ると、本カメラ付き携帯電話装置１０を装着中の充電＆回転用クレードル２０に対して回転制御信号が出力され、当該クレードル２０の水平回転部２２や垂直回転部２３が駆動されてカメラ付き携帯電話装置１０の向きが変更制御されるので、外出ユーザはリアルタイムで撮影取得している監視対象場所の撮影動画像の撮影方向を自在に変化させて見ることができる。
【０１３８】
さらに、前記常時監視モードにおいて、各種センサ２６ａ，２６ｂ，…などにより監視対象場所周辺の状態変化を常時検出し、この状態変化が通報を要する条件となり外出ユーザの携帯電話装置など指定の電話番号に電話を発信した際に、その応答がない場合には、状態変化条件の検出前後に撮像部１６により撮影された画像データが指定のアドレスとした前記外出ユーザの携帯電話装置などへ電子メールで送信されるので、電話による直接の接続が行えなくても、監視対象場所の状態変化が通報条件となったことを撮影画像によって指定のユーザへ確実に報知できるようになる。
【０１３９】
つまり、このカメラ付き携帯電話装置１０および充電＆回転用クレードル２０によれば、１つの携帯電話を必要に応じて簡単に通常のカメラ付き携帯電話として利用したり、高機能な監視カメラとして利用したりすることができる。
【０１４０】
なお、前記各実施形態において記載したカメラ付き携帯電話装置１０による各処理の手法、すなわち、図５のフローチャートに示す着信対応監視処理、図６のフローチャートに示す常時監視処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体（１８Ｍ）に格納して配布することができる。そして、撮像機能および通信機能を備えた種々のコンピュータ端末は、この外部記録媒体（１８Ｍ）に記憶されたプログラムを記録媒体読取部（１８Ａ）によって記憶装置（１８）に読み込み、この読み込んだプログラムによって動作が制御されることにより、前記各実施形態において説明した通常の携帯電話機能から簡単に切り換えできる監視カメラ機能や常時監視機能を実現し、前述した手法による同様の処理を実行することができる。
【０１４１】
また、前記各手法を実現するためのプログラムのデータは、プログラムコードの形態として通信ネットワーク（インターネット）上を伝送させることができ、この通信ネットワーク（インターネット）に接続されたコンピュータ端末（プログラムサーバ）の記憶装置から前記のプログラムデータを取り込み、前述した通常の携帯電話機能から簡単に切り換えできる監視カメラ機能や常時監視機能を実現することもできる。
【０１４２】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【０１４３】
１０  …カメラ付き携帯電話装置
１０Ａ…携帯電話制御部（ＣＰＵ）
１０Ｂ…携帯電話側外部Ｉ／Ｏインターフェイス＆充電部
１０Ｅ…充電池
ＥＣ  …電源供給自動ＯＮ／ＯＦＦ回路
１１  …キー入力部
１１ａ…文字・記号入力キー群
１１ｂ…機能操作キー（操作ボタン）
１２  …液晶表示部
１３  …マイク
１３Ａ…音声変換部
１４  …スピーカ
１５  …アンテナ
１５Ａ…通信制御部
１６  …撮像部
１６Ａ…カメラ制御部
１７  …ＲＯＭ
１８  …ＲＡＭ
１８ａ…モードデータメモリ
１８ｂ…監視指定アドレスメモリ
１８ｃ…監視指定番号メモリ
１８ｄ…撮像データメモリ
１８ｅ…動画像・音声データメモリ
１８ｆ…クレードル装着データメモリ
１８ｇ…各種センサデータメモリ
１８ｈ…通報条件データメモリ
１８ｉ…電話帳データメモリ
１８ｊ…ワークエリア
１８Ｍ…外部記憶媒体
１８Ａ…記憶媒体読書部
１９  …時計回路
２０  …充電＆回転用クレードル
２０Ａ…クレードル制御部（ＣＰＵ）
２０Ｂ…クレードル側外部Ｉ／Ｏインターフェイス＆充電部
２０Ｈ…装着スロット
２１  …固定台座
２２  …水平回転部
２３  …垂直回転部
２４  …水平回転モータ
２５  …垂直回転モータ
２６ａ，２６ｂ，…各種センサ
２６Ａ…各種センサ制御部
２７  …ＡＣコンセント
２８  …センサorモータ制御部
２９  …充電回路
【図１】
2010011488.tif 000003
【図２】
2010011488.tif 000004
【図３】
2010011488.tif 000005
【図４】
2010011488.tif 000006
【図５】
2010011488.tif 000007
【図６】
2010011488.tif 000008
【図７】
2010011488.tif 000009
【手続補正書】
【提出日】平成21年10月7日(2009.10.7)
【手続補正２】
【補正対象書類名】明細書
【補正対象項目名】０００１
【補正方法】変更
【補正の内容】
【０００１】
本発明は、監視カメラとしても利用できるようにしたカメラ付き携帯電話装置、およびカメラ付き携帯電話装置の制御プログラムに関する。
【手続補正３】
【補正対象書類名】明細書
【補正対象項目名】０００９
【補正方法】変更
【補正の内容】
【０００９】
本発明は、このような課題に鑑みてなされたもので、監視専用のカメラシステムを導入することなく、必要に応じて簡単に監視対象の画像を撮影して取得することが可能になるカメラ付き携帯電話装置、およびカメラ付き携帯電話装置の制御プログラムを提供することを目的とする。
【手続補正４】
【補正対象書類名】明細書
【補正対象項目名】００１０
【補正方法】変更
【補正の内容】
【００１０】
請求項１に記載の発明は、電話機能と撮影機能とを有するカメラ付き携帯電話装置であって、他の通信端末からの着信に応答して画像データを撮影する撮影制御手段と、他の通信端末からの着信があった際に、着信音を鳴らした後に音声通話を行う第１の動作、着信音を鳴らさずにリアルタイムに取得される音声を送信する第２の動作、および着信音を鳴らさずに予め登録した不在案内の音声を送信する第３の動作のいずれかを選択的に実行する選択実行手段と、を備えることを特徴とする。
【手続補正５】
【補正対象書類名】明細書
【補正対象項目名】００１１
【補正方法】変更
【補正の内容】
【００１１】
請求項２に記載の発明は、監視モードを設定するモード設定手段と、他の通信端末からの着信があった際に、前記監視モードが設定されているか否かを判断する第１の判断手段と、前記選択実行手段は、前記第１の判断手段により前記監視モードが設定されていないと判断された場合には、前記第１の動作を実行し、前記第１の判断手段により前記監視モードが設定されていると判断された場合には、前記第２の動作または前記第３の動作を実行することを特徴とする。
【手続補正６】
【補正対象書類名】明細書
【補正対象項目名】００１２
【補正方法】変更
【補正の内容】
【００１２】
請求項３に記載の発明は、他の通信端末からの着信があった際に、指定番号からの着信であるか否かを判断する第２の判断手段を更に備え、前記選択実行手段は、前記第２の判断手段により指定番号からの着信であると判断された場合には、前記第２の動作を実行し、前記第２の判断手段により指定番号からの着信でないと判断された場合には、前記第３の動作を実行することを特徴とする。
【手続補正７】
【補正対象書類名】明細書
【補正対象項目名】００１３
【補正方法】変更
【補正の内容】
【００１３】
請求項４に記載の発明は、他の通信端末からの着信があった際に、電話の着信か電子メールの着信かを判断する第３の判断手段を更に備え、前記選択実行手段は、前記第３の判断手段により電話の着信であると判断された場合には、前記第１の動作、前記第２の動作、および前記第３の動作のいずれかを実行し、前記第３の判断手段により電子メールの着信であると判断された場合には、着信音を鳴らさず音声の送信も行わない第４の動作を実行することを特徴とする。
【手続補正８】
【補正対象書類名】明細書
【補正対象項目名】００１４
【補正方法】変更
【補正の内容】
【００１４】
請求項５に記載の発明は、前記第２の動作は、リアルタイムに取得される音声を送信するとともに、リアルタイムに取得される動画を送信することを特徴とする。
【手続補正９】
【補正対象書類名】明細書
【補正対象項目名】００１５
【補正方法】変更
【補正の内容】
【００１５】
請求項６に記載の発明は、前記第４の動作は、前記他の通信端末からの着信があった際に撮影された静止画を送信することを特徴とする。
【手続補正１０】
【補正対象書類名】明細書
【補正対象項目名】００１６
【補正方法】変更
【補正の内容】
【００１６】
請求項７に記載の発明は、前記送信手段は、電子メール機能を用いて動画データを送信することが可能であることを特徴とする。
【手続補正１１】
【補正対象書類名】明細書
【補正対象項目名】００１７
【補正方法】変更
【補正の内容】
【００１７】
請求項８に記載の発明は、電話機能と電子メール機能と撮影機能とを有するカメラ付き携帯電話装置であって、周囲の環境状態を検出する状態検出手段と、前記状態検出手段により検出される周囲の環境状態が予め設定された通報条件になったか否か判断する条件判断手段と、前記条件判断手段により前記周囲の環境状態が予め設定された通報条件になったと判断された場合に、前記電話機能を用いて前記撮影機能によりリアルタイムに撮影される動画データを他の通信端末へ送信する第１の送信手段と、前記第１の送信手段による送信ができなかった場合に、前記電子メール機能を用いて前記撮影機能により非リアルタイムに撮影された動画データを他の通信端末へ送信する第２の送信手段と、を備えることを特徴とする。
【手続補正１２】
【補正対象書類名】明細書
【補正対象項目名】００１８
【補正方法】変更
【補正の内容】
【００１８】
請求項９に記載の発明は、充電用スタンドとの接続機能を有し、前記状態検出手段は、前記充電用スタンドと接続されて充電状態にあることを条件として、前記状態検出手段による周囲の環境状態の検出動作を行うことを特徴とする。
【手続補正１３】
【補正対象書類名】明細書
【補正対象項目名】００１９
【補正方法】変更
【補正の内容】
【００１９】
請求項１０に記載の発明は、前記充電用スタンドは、周囲の環境状態を検出する各種センサを内蔵し、前記状態検出手段は、前記充電用スタンドと接続された状態で、当該充電用スタンドに内蔵された各種センサからの検出データに基づき周囲の環境状態を検出することを特徴とする。
【手続補正１４】
【補正対象書類名】明細書
【補正対象項目名】００２０
【補正方法】変更
【補正の内容】
【００２０】
請求項１１に記載の発明は、前記充電用スタンドは、接続されたカメラ付き携帯電話装置の回転機能を有し、他の通信端末からの受信データに応じて、前記充電用スタンドの回転を制御する回転制御手段を更に備えたことを特徴とする。
【手続補正１５】
【補正対象書類名】明細書
【補正対象項目名】００２１
【補正方法】変更
【補正の内容】
【００２１】
請求項１２に記載の発明は、電話機能と撮影機能とを有するカメラ付き携帯電話装置のコンピュータを制御するためのプログラムであって、前記コンピュータを、他の通信端末からの着信があった際に、着信音を鳴らした後に音声通話を行う第１の動作、着信音を鳴らさずにリアルタイムに取得される音声を送信する第２の動作、および着信音を鳴らさずに予め登録した不在案内の音声を送信する第３の動作のいずれかを選択的に実行する選択実行手段として機能させることを特徴とする。
【手続補正１６】
【補正対象書類名】明細書
【補正対象項目名】００２２
【補正方法】変更
【補正の内容】
【００２２】
請求項１３に記載の発明は、電話機能と電子メール機能と撮影機能とを有するカメラ付き携帯電話装置のコンピュータを制御するためのプログラムであって、前記コンピュータを、周囲の環境状態を検出する状態検出手段と、前記状態検出手段により検出される周囲の環境状態が予め設定された通報条件になったか否か判断する条件判断手段と、前記条件判断手段により前記周囲の環境状態が予め設定された通報条件になったと判断された場合に、前記電話機能を用いて前記撮影機能によりリアルタイムに撮影された動画データを他の通信端末へ送信する第１の送信手段と、前記第１の送信手段による送信ができなかった場合に、前記電子メール機能を用いて前記撮影機能により非リアルタイムに撮影された動画データを他の通信端末へ送信する第２の送信手段として機能させることを特徴とする。
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】変更
【補正の内容】
【００４２】
本発明の請求項１（請求項１２）に記載のカメラ付き携帯電話装置（制御プログラム）によれば、他の通信端末からの着信があった際に、着信音を鳴らした後に音声通話を行う第１の動作、着信音を鳴らさずにリアルタイムに取得される音声を送信する第２の動作、および着信音を鳴らさずに予め登録した不在案内の音声を送信する第３の動作のいずれかを選択的に実行することで、他の通信端末からの着信があった際に、着信音を鳴らせる状況か、または不在であるかなどの状況に応じて、着信時の応答動作を選択することが可能となる。
【手続補正３７】
【補正対象書類名】明細書
【補正対象項目名】００４３
【補正方法】変更
【補正の内容】
【００４３】
本発明の請求項８（請求項１３）に記載のカメラ付き携帯電話装置（制御プログラム）によれば、周囲の環境状態が予め設定された通報条件になったと判断された場合に、リアルタイムに撮影される動画データを電話機能を用いて他の通信端末へ送信することで、カメラ付き携帯電話装置を、動画によりリアルタイムな状況を監視する監視カメラとして利用することを可能にし、更に、リアルタイムに撮影される動画データを電話機能を用いて送信することができない場合であっても、電子メール機能を利用して動画データを送信することで、静止画ではなく動画により状況を監視するができる。
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】削除
【補正の内容】
【手続補正４６】
【補正対象書類名】明細書
【補正対象項目名】００５２
【補正方法】削除
【補正の内容】
【手続補正４７】
【補正対象書類名】明細書
【補正対象項目名】００５３
【補正方法】削除
【補正の内容】
【手続補正４８】
【補正対象書類名】明細書
【補正対象項目名】００５４
【補正方法】削除
【補正の内容】
【手続補正４９】
【補正対象書類名】明細書
【補正対象項目名】００５５
【補正方法】削除
【補正の内容】
【手続補正５０】
【補正対象書類名】明細書
【補正対象項目名】００５６
【補正方法】削除
【補正の内容】
【手続補正５１】
【補正対象書類名】明細書
【補正対象項目名】００５７
【補正方法】削除
【補正の内容】
【手続補正５２】
【補正対象書類名】明細書
【補正対象項目名】００５８
【補正方法】削除
【補正の内容】
【手続補正５３】
【補正対象書類名】特許請求の範囲
【補正対象項目名】全文
【補正方法】変更
【補正の内容】
【特許請求の範囲】
【請求項１】
電話機能と撮影機能とを有するカメラ付き携帯電話装置であって、
他の通信端末からの着信に応答して画像データを撮影する撮影制御手段と、
他の通信端末からの着信があった際に、着信音を鳴らした後に音声通話を行う第１の動作、着信音を鳴らさずにリアルタイムに取得される音声を送信する第２の動作、および着信音を鳴らさずに予め登録した不在案内の音声を送信する第３の動作のいずれかを選択的に実行する選択実行手段と、
を備えることを特徴とするカメラ付き携帯電話装置。
【請求項２】
監視モードを設定するモード設定手段と、
他の通信端末からの着信があった際に、前記監視モードが設定されているか否かを判断する第１の判断手段と、
前記選択実行手段は、前記第１の判断手段により前記監視モードが設定されていないと判断された場合には、前記第１の動作を実行し、前記第１の判断手段により前記監視モードが設定されていると判断された場合には、前記第２の動作または前記第３の動作を実行することを特徴とする請求項８に記載のカメラ付き携帯電話装置。
【請求項３】
他の通信端末からの着信があった際に、指定番号からの着信であるか否かを判断する第２の判断手段を更に備え、
前記選択実行手段は、前記第２の判断手段により指定番号からの着信であると判断された場合には、前記第２の動作を実行し、前記第２の判断手段により指定番号からの着信でないと判断された場合には、前記第３の動作を実行することを特徴とする請求項８または９に記載のカメラ付き携帯電話装置。
【請求項４】
他の通信端末からの着信があった際に、電話の着信か電子メールの着信かを判断する第３の判断手段を更に備え、
前記選択実行手段は、前記第３の判断手段により電話の着信であると判断された場合には、前記第１の動作、前記第２の動作、および前記第３の動作のいずれかを実行し、前記第３の判断手段により電子メールの着信であると判断された場合には、着信音を鳴らさず音声の送信も行わない第４の動作を実行することを特徴とする請求項８乃至１０に記載のカメラ付き携帯電話装置。
【請求項５】
前記第２の動作は、リアルタイムに取得される音声を送信するとともに、リアルタイムに取得される動画を送信することを特徴とする請求項８乃至１１に記載のカメラ付き携帯電話装置。
【請求項６】
前記第４の動作は、前記他の通信端末からの着信があった際に撮影された静止画を送信することを特徴とする請求項１１に記載のカメラ付き携帯電話装置。
【請求項７】
前記送信手段は、電子メール機能を用いて動画データを送信することが可能であることを特徴とする請求項１乃至１３に記載のカメラ付き携帯電話装置。
【請求項８】
電話機能と電子メール機能と撮影機能とを有するカメラ付き携帯電話装置であって、
周囲の環境状態を検出する状態検出手段と、
前記状態検出手段により検出される周囲の環境状態が予め設定された通報条件になったか否か判断する条件判断手段と、
前記条件判断手段により前記周囲の環境状態が予め設定された通報条件になったと判断された場合に、前記電話機能を用いて前記撮影機能によりリアルタイムに撮影される動画データを他の通信端末へ送信する第１の送信手段と、
前記第１の送信手段による送信ができなかった場合に、前記電子メール機能を用いて前記撮影機能により非リアルタイムに撮影された動画データを他の通信端末へ送信する第２の送信手段と、
を備えることを特徴とするカメラ付き携帯電話装置。
【請求項９】
充電用スタンドとの接続機能を有し、
前記状態検出手段は、前記充電用スタンドと接続されて充電状態にあることを条件として、前記状態検出手段による周囲の環境状態の検出動作を行うことを特徴とする請求項１５に記載のカメラ付き携帯電話装置。
【請求項１０】
前記充電用スタンドは、周囲の環境状態を検出する各種センサを内蔵し、
前記状態検出手段は、前記充電用スタンドと接続された状態で、当該充電用スタンドに内蔵された各種センサからの検出データに基づき周囲の環境状態を検出することを特徴とする請求項１５または１６に記載のカメラ付き携帯電話装置。
【請求項１１】
前記充電用スタンドは、接続されたカメラ付き携帯電話装置の回転機能を有し、
他の通信端末からの受信データに応じて、前記充電用スタンドの回転を制御する回転制御手段を更に備えたことを特徴とする請求項１５乃至１７に記載のカメラ付き携帯電話装置。
【請求項１２】
電話機能と撮影機能とを有するカメラ付き携帯電話装置のコンピュータを制御するためのプログラムであって、
前記コンピュータを、
他の通信端末からの着信があった際に、着信音を鳴らした後に音声通話を行う第１の動作、着信音を鳴らさずにリアルタイムに取得される音声を送信する第２の動作、および着信音を鳴らさずに予め登録した不在案内の音声を送信する第３の動作のいずれかを選択的に実行する選択実行手段として機能させることを特徴とするカメラ付き携帯電話装置の制御プログラム。
【請求項１３】
電話機能と電子メール機能と撮影機能とを有するカメラ付き携帯電話装置のコンピュータを制御するためのプログラムであって、
前記コンピュータを、
周囲の環境状態を検出する状態検出手段と、
前記状態検出手段により検出される周囲の環境状態が予め設定された通報条件になったか否か判断する条件判断手段と、
前記条件判断手段により前記周囲の環境状態が予め設定された通報条件になったと判断された場合に、前記電話機能を用いて前記撮影機能によりリアルタイムに撮影された動画データを他の通信端末へ送信する第１の送信手段と、
前記第１の送信手段による送信ができなかった場合に、前記電子メール機能を用いて前記撮影機能により非リアルタイムに撮影された動画データを他の通信端末へ送信する第２の送信手段として機能させることを特徴とするカメラ付き携帯電話装置の制御プログラム。